(57)【要約】【課題】端末による位置補正が可能なシステムの構築にかかるコストを削減し、当該システムを簡略化できるようにする。【解決手段】読取装置１は、情報を読み取るＩＣカードリーダー２９と、識別情報を記憶する記憶部２３と、記憶部２３に記憶された識別情報を無線通信で送信する通信部２２と、を有し、端末３は、識別情報を無線通信で受信するデータ通信部４４と、位置を示す位置情報を生成して識別情報を受信したときに、識別情報に基づいて位置情報の補正を行う端末制御部４０と、を有する。【選択図】図２
2015158823.tif 000002
【特許請求の範囲】
【請求項１】
情報を読み取る読取部、識別情報を記憶する記憶部、及び前記記憶部に記憶された前記識別情報を無線通信で送信する通信部を有する読取装置と、
前記通信部で送信された前記識別情報を無線通信で受信するデータ通信部、及び位置を示す位置情報を生成して前記データ通信部で前記識別情報を受信したときに前記識別情報に基づいて前記位置情報の補正を行う端末制御部を有する端末と、
を備えることを特徴とする読取システム。
【請求項２】
前記読取装置の前記通信部は、前記読取部で情報が読み取られた時に、前記識別情報を送信する請求項１に記載の読取システム。
【請求項３】
前記読取装置の前記通信部は、前記読取部で情報が読み取られた時に、読み取られたことを示す信号を無線通信で送信し、
前記端末の前記データ通信部は、前記通信部で送信された前記信号を受信し、前記端末の前記端末制御部は、前記信号の受信に基づいて前記位置情報の補正を行う請求項１に記載の読取システム。
【請求項４】
前記端末の端末制御部は、前記位置情報の補正を行った後、補正された前記位置情報に基づいて所定の処理を実行する請求項１乃至３のいずれか１項に記載の読取システム。
【請求項５】
情報を読み取る読取部と、
識別情報を記憶する記憶部と、
前記記憶部に記憶された前記識別情報を無線通信で送信する通信部と、
を有することを特徴とする読取装置。
【請求項６】
印刷を行う印刷部と、
前記読取部で情報が読み取られた時に、前記印刷部に印刷を実行させる制御部と、を有する請求項５に記載の読取装置。
【請求項７】
前記制御部は、前記読取部で情報が読み取られた時に、前記印刷部にクーポン情報の印刷を実行させる請求項６に記載の読取装置。
【請求項８】
前記通信部は、前記読取部で情報が読み取られた時に、読み取られたことを示す信号を無線通信で送信する請求項５乃至７のいずれか１項に記載の読取装置。
【発明の詳細な説明】
【技術分野】
【０００１】
本発明は、読取装置を備える読取システム、及び読取装置に関する。
【背景技術】
【０００２】
従来、無線端末位置計測システムで、無線端末と近距離通信を行い、無線端末の位置情報を補正する装置を、壁面に配置する構成が知られている（例えば、特許文献１参照）。
【先行技術文献】
【特許文献】
【０００３】
【特許文献１】特開２０１２−１５４６４６号公報
【発明の概要】
【発明が解決しようとする課題】
【０００４】
特許文献１に係る無線端末位置計測システムでは、システムの構築にあたり、無線端末と近距離通信を行う装置を壁面に設置し、当該装置を稼働させる設備を新たに設ける必要があり、装置の設置に伴う電源設備等の増設や工事などのシステムの構築にかかる費用の増大や、システムの複雑化につながる可能性があった。
本発明は、上述した事情に鑑みてなされたものであり、端末による位置補正が可能なシステムの構築にかかるコストを削減し、当該システムを簡略化できるようにすることを目的とする。
【課題を解決するための手段】
【０００５】
上記目的を達成するために、本発明の読取システムは、情報を読み取る読取部、識別情報を記憶する記憶部、及び前記記憶部に記憶された前記識別情報を無線通信で送信する通信部を有する読取装置と、前記通信部で送信された前記識別情報を無線通信で受信するデータ通信部、及び位置を示す位置情報を生成して前記データ通信部で前記識別情報を受信したときに前記識別情報に基づいて前記位置情報の補正を行う端末制御部を有する端末と、を備えることを特徴とする。
本発明の構成によれば、読取装置は、端末による位置補正に用いる識別情報を無線通信で送信する機能を有する。このため、端末による位置補正が可能なシステムの構築に際し、端末と通信を行う専用の装置を壁面等に設けたり、当該専用の装置を稼働させる設備を新たに設けたりする必要が無く、読取装置の設置場所に読取装置を設ければ、端末は、読取装置が無線通信で送信する識別情報を受信し、識別情報を用いて位置補正できる。従って、端末による位置補正が可能なシステムの構築にかかるコストを削減し、当該システムを簡略化できる。
【０００６】
また、前記読取装置の前記通信部は、前記読取部で情報が読み取られた時に、前記識別情報を送信する。
本発明の構成によれば、読取装置は、読取部で情報が読み取られた時に、識別情報を送信して、端末に位置補正を実行させることができる。これにより、例えば、ユーザーが、読取装置による所定の情報の読み取りを実行した時に、読取装置から識別情報を送信して、当該ユーザーが所有する端末に位置補正を実行させることが可能となる。
【０００７】
また、前記読取装置の前記通信部は、前記読取部で情報が読み取られた時に、読み取られたことを示す信号を無線通信で送信し、前記端末の前記データ通信部は、前記通信部で送信された前記信号を受信し、前記端末の前記端末制御部は、前記信号の受信に基づいて前記位置情報の補正を行う。
本発明の構成によれば、読取装置は、端末に対して、情報の読み取りが行われたことを通知でき、端末は、当該通知に基づいて、位置情報の補正を実行できる。
【０００８】
また、前記端末の端末制御部は、前記位置情報の補正を行った後、補正された前記位置情報に基づいて所定の処理を実行する。
本発明の構成によれば、端末は、補正後のより正確な位置情報を用いて、所定の処理を実行できる。
【０００９】
また、本発明の読取装置は、情報を読み取る読取部と、識別情報を記憶する記憶部と、前記記憶部に記憶された前記識別情報を無線通信で送信する通信部と、を有することを特徴とする。
本発明の構成によれば、読取装置は、端末による位置補正に用いる識別情報を無線通信で送信する機能を有する。このため、端末による位置補正が可能なシステムの構築に際し、端末と通信を行う専用の装置を壁面等に設けたり、当該専用の装置を稼働させる設備を新たに設けたりする必要が無く、読取装置の設置場所に読取装置を設ければ、端末は、読取装置が無線通信で送信する識別情報を受信し、識別情報を用いて位置補正できる。従って、端末による位置補正が可能なシステムの構築にかかるコストを削減し、当該システムを簡略化できる。
【００１０】
また、印刷を行う印刷部と、前記読取部で情報が読み取られた時に、前記印刷部に印刷を実行させる制御部と、を有する。
本発明の構成によれば、読取装置は、読取部による読み取りに応じて、印刷部による印刷を実行できる。
【００１１】
また、前記制御部は、前記読取部で情報が読み取られた時に、前記印刷部にクーポン情報の印刷を実行させる。
本発明の構成によれば、読取装置は、読取部による読み取りに応じて、クーポン情報を印刷することにより、ユーザーにクーポン情報が印刷されたクーポンを提供することができる。
【００１２】
また、前記通信部は、前記読取部で情報が読み取られた時に、読み取られたことを示す信号を無線通信で送信する。
本発明の構成によれば、読取装置は、読取部で情報が読み取られた場合に、信号を無線通信で送信して、そのことを端末に通知できる。
【図面の簡単な説明】
【００１３】
【図１】本実施形態に係る読取装置の外観斜視図。
【図２】読取システムの機能的構成を示すブロック図。
【図３】フロアーに構築された位置計測システムを示す図。
【図４】読取装置の動作を示すフローチャート。
【図５】端末の動作を示すフローチャート。
【図６】読取システムの各装置の動作を示すフローチャート。
【発明を実施するための形態】
【００１４】
以下、図面を参照して本発明の実施形態について説明する。
図１は、本実施形態に係る読取装置１の外観斜視図である。
読取装置１は、ＩＣカードから情報を読み取る機能、ロール紙Ｒに印刷してクーポンを発行する機能、情報を表示する機能、タッチ操作による情報の入力を受け付ける機能を有する装置である。
図１に示すように、読取装置１は、その内部に、制御回路基板や、後述する印刷部２１の機構等を収納する。また、印刷装置１は、その内部に、ロール状のロール紙Ｒを収納する。
印刷装置１の前面１２の上部には、ロール紙Ｒを排出する排出口１３が設けられる。排出口１３の右下には、読取装置１の電源をオン／オフする電源スイッチ１４が設けられる。電源スイッチ１４の下方には、ロール紙Ｒをオートフィードするフィードスイッチ１５が設けられる。フィードスイッチ１５の左方には、動作モードや、エラーの発生の有無等の読取装置１の状態を報知するＬＥＤ１６が設けられる。
印刷装置１の上面１７の上方には、読取パネル１８が設けられる。読取パネル１８に対応する位置には、後述するＩＣカードリーダー２９のアンテナが設けられる。ユーザーは、読取装置１にＩＣカードに記録された情報を読み取らせる場合、ＩＣカードを読取パネル１８に近接させる。
印刷装置１の上面１７の上方であって、読取パネル１８の後方には、タッチパネル１１が設けられる。タッチパネル１１は、情報を表示する表示パネル１１ａと、タッチ操作を検出するタッチセンサー１１ｂとを備える。
【００１５】
読取装置１は、以下の態様で使用することが可能である。
例えば、読取装置１は、ショッピングモールに出店する複数の店舗の入り口に設けられる。本実施形態では、ショッピングモールは、複数の異なる店舗が設けられた施設のことをいう。顧客は、非接触型ＩＣカードである会員カードを所有し、店舗に来店する際、当該店舗の入り口に設けられた読取装置１に会員カードを読み取らせる。読取装置１は、詳細は後述するが、会員カードの読取結果に基づいて、顧客に応じたクーポンを発行する。また、読取装置１は、会員カードの読取結果に基づいて、タッチパネル１１に、顧客に応じた表示を行う。
【００１６】
図２は、本実施形態に係る読取システム４の機能的構成を示すブロック図である。
読取システム４は、読取装置１と、端末３とを備える。
図２に示すように、読取装置１は、制御部２０と、タッチパネル１１と、印刷部２１と、通信部２２と、記憶部２３と、ＬＥＤ駆動部２４と、通信インターフェース２５と、電源部２６と、電源制御部２７と、入力部２８と、ＩＣカードリーダー２９（読取部）を備える。
制御部２０は、ＣＰＵや、ＲＯＭ、ＲＡＭ、その他の回路等を備え、読取装置１を制御する。
タッチパネル１１は、表示パネル１１ａと、タッチセンサー１１ｂとを備える。表示パネル１１ａは、液晶表示パネルや、有機ＥＬパネル等のディスプレーであり、制御部２０の制御で、各種情報を表示する。タッチセンサー１１ｂは、静電容量式や、感圧式等のセンサーであり、ユーザーの手指やペン型操作デバイスによるタッチ操作を検出して、制御部２０に送信する。
印刷部２１は、ロール紙Ｒを搬送する搬送機構や、印刷ヘッド（本例では、サーマルヘッド）を有しロール紙Ｒにドットを形成する印刷機構、ロール紙Ｒを切断する切断機構等を含んで構成される。印刷部２１は、制御部２０の制御で、ロール紙Ｒに印刷する。
通信部２２は、無線アンテナや、無線通信で送信するデータにエンコードや変調等を行う信号処理回路等を備える。通信部２２は、制御部２０の制御で、所定の通信規格に従って、無線通信する。後述するように、通信部２２は、制御部２０の制御で、位置補正信号Ｓ１（識別情報）を無線通信で送信する。
記憶部２３は、不揮発性メモリーを備え、データを記憶する。
ＬＥＤ駆動部２４は、制御部２０の制御で、ＬＥＤ１６を駆動する。
通信インターフェース２５は、制御部２０の制御で、インターネット等のネットワークＮを介して、制御サーバー２と所定の通信規格に従って通信する。制御サーバー２と通信するデータについては後述する。
【００１７】
電源部２６は、主電源部２６ａと、予備電源部２６ｂとを備える。
主電源部２６ａは、施設の壁面等に設けられたコンセントに接続されて商用電源の電力の供給を受け、読取装置１の各部へ電力を供給する。
予備電源部２６ｂは、主電源部２６ａから電力の供給を受けて電力を充電する充電器を備える。予備電源部２６ｂは、充電器に充電された電力を、読取装置１の各部に供給する。
電源制御部２７は、制御部２０の制御で、主電源部２６ａ、及び、予備電源部２６ｂの電力供給を制御する。
入力部２８は、読取装置１に設けられたスイッチに対する操作を検出し、制御部２０に送信する。読取装置１は、上述した電源スイッチ１４及びフィードスイッチ１５のほか、無線通信電源スイッチ１９を備える。無線通信電源スイッチ１９は、例えば、ディップスイッチとして制御基板に設けられる。
電源スイッチ１４は、通信部２２以外の部位への電源部２６からの電力の供給をオン、オフするスイッチである。従って、電源スイッチ１４がオンの場合、電源制御部２７の制御で、電源部２６から印刷部２１等に電力が供給される。電源スイッチ１４がオンの場合、読取装置１は、制御サーバー２との通信や、印刷部２１による印刷、ＬＥＤ駆動部２４によるＬＥＤ１６の駆動等、通信部２２の機能に基づく処理以外の処理を実行できる。
無線通信電源スイッチ１９は、通信部２２への電力の供給をオン、オフするスイッチである。従って、無線通信電源スイッチ１９がオンの場合、電源制御部２７の制御で、通信部２２、及び、対応する部位（制御部２０等）に電力が供給される。電源制御部２７は、無線通信電源スイッチ１９がオンの場合であって電源スイッチ１４がオンの場合は、主電源部２６ａから通信部２２等に電力を供給する。電源制御部２７は、無線通信電源スイッチ１９がオンの場合であって電源スイッチ１４がオフの場合は、予備電源部２６ｂから通信部２２等に電力を供給する。無線通信電源スイッチ１９がオンの場合、通信部２２、及び、対応する部位（制御部２０等）に電力が供給され、通信部２２による位置補正信号Ｓ１の無線通信での送信が可能となる。
ＩＣカードリーダー２９（読取部）は、非接触型のＩＣカードの読取機構であり、ＩＣカードとの間で、所定の規格に従って近距離無線通信を行い、ＩＣカードから情報を読み取る。
【００１８】
端末３は、携帯電話や、タブレット端末、ノートパソコン等のユーザーが持ち運ぶモバイル端末である。端末３は、例示したものに限らず、ユーザーが持ち運べる装置であればよい。本実施形態では、端末３は、前面に端末タッチパネル４２が設けられたタブレット型の携帯電話（スマートフォン）である。
図２に示すように、端末３は、端末制御部４０と、端末記憶部４１と、端末タッチパネル４２と、ネットワーク通信部４３と、データ通信部４４と、を備える。
端末制御部４０は、ＣＰＵや、ＲＯＭ、ＲＡＭ、その他の回路等を備え、端末３を制御する。
端末記憶部４１は、不揮発性メモリーを備え、データを記憶する。端末記憶部４１は、所定のアプリケーションＡＰを記憶する。アプリケーションＡＰの機能については後述する。
端末タッチパネル４２は、端末３の前面に設けられた端末表示パネル４２ａと、端末表示パネル４２ａに設けられた端末タッチセンサー４２ｂとを備える。
ネットワーク通信部４３は、端末制御部４０の制御で、ＬＡＮや、電話網、インターネット等のネットワークを介して、ネットワークと接続する機器（例えば、サーバー）と通信する。
データ通信部４４は、無線アンテナや、無線通信で受信する電波にデコードや復調等を行う信号処理回路等を備える。データ通信部４４は、端末制御部４０の制御で、所定の通信規格に従って、無線通信する。後述するように、データ通信部４４は、端末制御部４０の制御で、位置補正信号Ｓ１（識別情報）を無線通信で受信する。
【００１９】
次に、読取装置１の使用態様について例を挙げて説明する。
読取装置１は、例えば、ショッピングモールに設けられ、位置計測システム５を構築する。
図３は、読取装置１が設けられることによって位置計測システム５が構築されたショッピングモールのフロアーＦの一例を示す図である。
図３に示すように、フロアーＦには、廊下ＲＫを経由して来店可能な店舗Ｔ１〜店舗Ｔ６の６つの店舗が設けられる。以下、店舗Ｔ１〜店舗Ｔ６を区別しない場合は、「店舗Ｔ」と表現する。
店舗Ｔは、１又は複数の出入口ＤＧを有する。店舗Ｔの出入口ＤＧに対応する位置には、１又は複数の読取装置１が設けられる。読取装置１は、例えば、所定の台に載置される等して、出入口ＤＧに対応する位置に設けられる。
店舗Ｔ１、Ｔ２、及び、Ｔ６は、出入口ＤＧに対応する位置に１台の読取装置１が設けられる。店舗Ｔ５には、出入口ＤＧに対応する位置に２台の読取装置１が設けられる。店舗Ｔ３には、出入口ＤＧに対応する位置に３台の読取装置１が設けられる。店舗Ｔ４には、出入口ＤＧに対応する位置に４台の読取装置１が設けられる。
以下、店舗Ｔ３に設けられた３つの読取装置１について、読取装置１０３ａ、読取装置１０３ｂ、及び、読取装置１０３ｃと、符号を区別して表現する。また、店舗Ｔ４に設けられた４つの読取装置１について、読取装置１０４ａ、読取装置１０４ｂ、読取装置１０４ｃ、及び、読取装置１０４ｄと、符号を区別して表現する。また、店舗Ｔ５に設けられた２つの読取装置１０５ａ、及び、読取装置１０５ｂと、符号を区別して表現する。
【００２０】
上述したように、読取装置１は、位置補正信号Ｓ１を無線通信で送信する機能を有する。位置補正信号Ｓ１については後に詳述するが、位置補正信号Ｓ１は、端末３による位置情報の補正に用いられる信号である。図３では、読取装置１が送信する位置補正信号Ｓ１が届く範囲を、読取装置１を中心とした点線の円で表す。
後述するように、端末３は、端末３の位置を示す位置情報（具体的には、後述する「端末位置情報」）を生成する機能、及び、位置補正信号Ｓ１の受信をトリガーとして位置情報を補正する機能を有する。そして、フロアーＦに持ち運ばれた端末３が、高い精度で位置情報の補正を行うためには、フロアーＦで、位置補正信号Ｓ１が届く領域をできるだけ広くする必要がある。
図３に示すように、フロアーＦでは、店舗Ｔが分散して設けられ、店舗Ｔには１又は複数の読取装置１が設けられる。このため、フロアーＦで、読取装置１が無線通信で送信する位置補正信号Ｓ１が届く領域は、偏りのない広い領域となる。
以上のように、本実施形態では、位置補正信号Ｓ１を送信する機能を有する読取装置１が店舗Ｔに設けられることによって位置計測システム５が構築される。このため、位置補正信号Ｓ１を送信する機能を有する専用の装置を、フロアーＦに設けることによって位置計測システム５を構築する場合と比較して、システムの構築にかかるコストを削減し、システムを簡略化できる。すなわち、本実施形態によれば、専用の装置を準備する必要がなく、専用の装置を設けるための場所の確保が必要なく、専用の装置を設けるための設備（電源の供給に係る設備等）が必要ない。店舗Ｔの出入口ＤＧ等の、読取装置１を設ける場所に、読取装置１を設ければよい。このため、位置計測システム５の構築にかかるコストの削減と、システムの簡略化を実現できる。
【００２１】
ここで、店舗Ｔ３では、３つの読取装置１のうち、読取装置１０３ａ及び読取装置１０３ｃが位置補正信号Ｓ１の送信を行い、読取装置１０３ｂは位置補正信号Ｓ１の送信を行わない。この場合、読取装置１０３ａ及び読取装置１０３ｃの無線通信電源スイッチ１９はオンされ、読取装置１０３ｂの無線通信電源スイッチ１９はオフされる。
これは、読取装置１０３ｂが送信する位置補正信号Ｓ１が届く範囲の大部分が、読取装置１０３ａ及び読取装置１０３ｃが送信する位置補正信号Ｓ１が届く範囲と重なるからである。読取装置１は、電源スイッチ１４とは別に、無線通信電源スイッチ１９が設けられる。このため、通信部２２に対する電力の供給を停止し、通信部２２を機能させないようにすることができる。従って、位置補正信号Ｓ１の送信を行う必要のない場合、印刷を含む処理を実行可能な状態としたまま、位置補正信号Ｓ１の送信を行わないようにし、消費電力の低減を実現できる。
店舗Ｔ４では、４つの読取装置１のうち、読取装置１０４ｂ及び読取装置１０４ｃが位置補正信号Ｓ１の送信を行い、読取装置１０４ａ及び読取装置１０４ｄは位置補正信号Ｓ１の送信を行わない。この場合、読取装置１０４ｂ及び読取装置１０４ｃの無線通信電源スイッチ１９はオンされ、読取装置１０４ａ及び読取装置１０４ｄの無線通信電源スイッチ１９はオフされる。
【００２２】
なお、本実施形態では、通信部２２による位置補正信号Ｓ１の送信を停止する手段は、通信部２２に対する電力の供給の遮断であるが、この他の手段によって通信部２２の機能を停止する構成であってもよい。例えば、対応するプログラムが実行されることを停止することにより、通信部２２が信号の送信の処理を実行することを停止してもよい。この場合、ユーザーは、所定の手段によって、通信部２２による位置補正信号Ｓ１の送信の停止を指示する。
【００２３】
次に、読取装置１が位置補正信号Ｓ１を送信するときの処理について説明する。
図４は、位置補正信号Ｓ１を送信するときの読取装置１の動作を示すフローチャートである。
読取装置１は、図４のフローチャートが示す処理を、所定の間隔をあけて実行する。例えば、読取装置１は、１秒ごとに、図４のフローチャートが示す処理を実行する。
図４に示すように、読取装置１の制御部２０は、記憶部２３が記憶する識別情報データを参照し、識別情報を取得する（ステップＳＡ１）。
識別情報データは、識別情報を示すデータである。識別情報は、読取装置１を識別する情報であり、読取装置１ごとに異なる値を有する。識別情報として、ＳＳＩＤや、ＭＡＣアドレス等を用いることが可能である。
次いで、制御部２０は、通信部２２を制御して、通信部２２に取得した識別情報を含む位置補正信号Ｓ１を生成させ、電波として送信させる（ステップＳＡ２）。
以上のように、読取装置１は、所定の間隔をあけて、位置補正信号Ｓ１を送信する。
【００２４】
次に、顧客によってフロアーＦに持ち込まれた端末３の動作について説明する。
図５は、端末３の動作を示すフローチャートである。
図５のフローチャートの開始時点では、端末３に予めインストールされたアプリケーションＡＰが立ち上げられ、端末３の端末制御部４０は、アプリケーションＡＰを含むプログラムの機能により処理を実行する。
また、以下の説明では、読取装置１が送信する位置補正信号Ｓ１が届く１の範囲のことを「信号到達範囲」という。
【００２５】
図５に示すように、端末制御部４０は、データ通信部４４により、位置補正信号Ｓ１を受信したか否かを判別する（ステップＳＢ１）。端末制御部４０は、位置補正信号Ｓ１を受信するまで、当該判別を繰り返し実行する。
なお、異なる複数の信号到達範囲が重なった領域に、端末３が位置する場合がある。これを踏まえ、端末制御部４０は、所定期間内に、異なる識別情報を含む位置補正信号Ｓ１を受信した場合は、受信信号強度が弱い方の信号を読み捨てる等の対応する処理を実行する。
位置補正信号Ｓ１を受信した場合（ステップＳＢ１：ＹＥＳ）、端末制御部４０は、受信した位置補正信号Ｓ１に含まれる識別情報を取得する（ステップＳＢ２）。
次いで、端末制御部４０は、ステップＳＢ２で取得した識別情報の値と、端末記憶部４１が記憶する登録識別情報データが示す識別情報の値とが一致するか否かを判別する（ステップＳＢ３）。
登録識別情報データは、以下のデータである。端末３は、１の読取装置１が送信する位置補正信号Ｓ１が届く１の信号到達範囲に位置する場合、当該１の読取装置１から１の値の識別情報を含む位置補正信号Ｓ１を定期的に受信する。そして、端末３の位置が、当該１の信号到達範囲から外れ、他の読取装置１が送信する位置補正信号Ｓ１が届く他の信号到達範囲に属した場合、端末３は、当該他の読取装置１から他の値の識別情報を含む位置補正信号Ｓ１を受信する。このように、端末３の位置が属する信号到達範囲が変わった場合、端末３が受信する位置補正信号Ｓ１に含まれる識別情報の値も変わる。そして、登録識別情報データは、受信する位置補正信号Ｓ１に含まれる識別情報の値が変わったときに、変更後の識別情報の値を示すように書き換えられるデータである。従って、ステップＳＢ３では、端末３が位置する信号到達範囲に変更があったか否かを判別する。
【００２６】
ステップＳＢ３で値が一致すると判別した場合（ステップＳＢ３：ＹＥＳ）、端末制御部４０は、処理手順をステップＳＢ１へ戻す。ステップＳＢ３で値が一致しないと判別した場合（ステップＳＢ３：ＮＯ）、端末制御部４０は、端末記憶部４１が記憶する登録識別情報データを、ステップＳＢ２で取得した識別情報の値を示すデータへと書き換える（ステップＳＢ４）。
次いで、端末制御部４０は、データ通信部４４によって位置補正信号Ｓ１を受信したときの受信信号強度を取得する（ステップＳＢ５）。
次いで、端末制御部４０は、ネットワーク通信部４３を制御して、ステップＳＢ２で取得した識別情報を含む読取装置位置情報要求データを所定のサーバーに送信し、読取装置位置情報を問い合わせる（ステップＳＢ６）。読取装置位置情報とは、読取装置１の位置を示す情報（例えば、読取装置１の位置の経度、緯度を示す情報）である。読取装置位置情報要求データのフォーマット、当該データを送信するサーバーのアドレス、サーバーとの間での通信に用いるプロトコルは予め定められる。
サーバーは、読取装置１について、読取装置１の識別情報と、読取装置１の位置を示す読取装置位置情報とを対応付けて記憶するデータベースを記憶する。読取装置位置情報は、所定の手段によって、読取装置１の位置に応じて、読取装置１の位置を示すように、適宜、書き換えられる。
サーバーは、ステップＳＢ６で端末３により送信された読取装置位置情報要求データを受信すると、データベースにアクセスし、当該データに含まれる識別情報をキーとして、当該データベースで、当該識別情報と対応付けられた読取装置位置情報を取得する。
次いで、サーバーは、取得した読取装置位置情報を含む応答データを、端末３に送信する。
【００２７】
端末制御部４０は、サーバーが送信した応答データを受信する（ステップＳＢ７）。
次いで、端末制御部４０は、受信した応答データに含まれる読取装置位置情報を取得する（ステップＳＢ８）。
次いで、端末制御部４０は、ステップＳＢ５で取得した受信信号強度と、ステップＳＢ８で取得した読取装置位置情報とに基づいて、端末記憶部４１が記憶する端末位置情報を補正する（ステップＳＢ９）。
ここで、アプリケーションＡＰは、端末３の表示パネル４２ａにフロアーＦのフロアーマップを表示し、表示したフロアーマップで端末３の位置を示す機能を有する。また、アプリケーションＡＰは、端末３の位置を示す端末位置情報を端末記憶部４１に記憶する機能を有する。端末制御部４０は、アプリケーションＡＰの機能により、表示パネル４２ａにフロアーマップを表示し、端末記憶部４１が記憶する端末位置情報に基づいて、フロアーマップ上に、端末３の位置を表示する。ステップＳＢ９では、端末記憶部４１が記憶する端末位置情報の補正が実行される。端末位置情報の補正は、例えば、以下の方法により実行される。端末制御部４０は、受信信号強度は読取装置１からの離間距離が大きいほど弱くなる、という性質を用いて、読取装置１と端末３との離間距離を算出する。次いで、端末制御部４０は、端末３の位置の推移等に基づいて、読取装置１の位置を中心とした端末３の位置の方角を算出する。方角の検出に際し、ＧＰＳ機能を有している場合は、ＧＰＳ機能を利用してもよい。次いで、端末制御部４０は、読取装置位置情報が示す読取装置１の位置と、算出した離間距離及び方角とに基づいて端末３の位置を算出し、端末記憶部４１が記憶する端末位置情報を、算出した端末３の位置を示す情報へと補正する。
端末制御部４０は、端末位置情報の補正後、処理手順をステップＳＢ１へ戻す。
【００２８】
以上のように、端末３は、受信した位置補正信号Ｓ１に基づいて、端末位置情報の補正を実行する。従って、フロアーＦに持ち運ばれた端末３が、高い精度で端末位置情報の補正を行うためには、位置計測システム５について、端末３がいずれの信号到達範囲にも属さない状態をできるだけ生じさせることなく、端末３を所有する顧客の移動に応じて、属する信号到達範囲が適宜切り替わるようにする必要がある。上述したように、本実施形態では、店舗Ｔの出入口ＤＧに対応する位置に設けられた読取装置１が位置補正信号Ｓ１を送信する機能を有するため、システムの構築にかかるコストを削減し、システムを簡略化して、上述の位置計測システム５を構築できる。
端末位置情報は、例えば、端末３の端末表示パネル４２ａにフロアーＦの地図を表示し、表示した地図上で顧客の位置を示すサービス等に用いられる。
【００２９】
次に、読取装置１により顧客の会員カードが読み取られた後の各装置の動作について説明する。
図６は、読取装置１によって顧客の会員カードが読み取られた後の各装置の動作を示すフローチャートであり、（Ａ）は読取装置１の動作を、（Ｂ）は制御サーバー２の動作を、（Ｃ）は端末３の動作を示す。
以下の説明で、端末３は、会員カードの読み取りを行った顧客が所持するものである。
また、端末３は、表示パネル１１ａには、クーポンの発行の実行／非実行、及び、予め登録されたメールアドレスへの所定の情報の送信／非送信を、顧客が選択するユーザーインターフェースを表示する。ユーザーは、ＩＣカードリーダー２９での会員カードの読み取りの前に、タッチパネル１１をタッチ操作して、クーポンの発行の実行／非実行、メール送信／非送信を選択する。以下の説明では、顧客により、予めクーポンの発行の実行が選択され、メールの送信の非送信が選択される。
【００３０】
図６（Ａ）に示すように、端末３の端末制御部４０は、ＩＣカードリーダー２９で会員カードの読み取りが行われたか否かを判別する（ステップＳＣ１）。端末制御部４０は、ステップＳＣ１の判別を、会員カードの読み取りが行われるまで継続して実行する。
顧客は、会員カードの読み取りを行わせる場合、所有する会員カードを、読取パネル１８に近づける。会員カードには、会員ＩＤが記録され、ＩＣカードリーダー２９は、会員ＩＤを読み取る。
会員カードの読み取りが行われた場合（ステップＳＣ１：ＹＥＳ）、端末制御部４０は、通信部２２を制御して、会員カードの読み取りが行われたことを示す読取通知信号Ｓ２を無線通信で送信する（ステップＳＣ２）。
【００３１】
図６（Ｃ）に示すように、端末３の端末制御部４０は、データ通信部４４を制御して、読取通知信号Ｓ２を受信する（ステップＳＥ１）。ここで、会員カードの読み取りが行われた時点では、顧客は、読取装置１の近傍に位置する。従って、当該時点では、顧客が有する端末３は、読取装置１の近傍に位置する。このため、顧客による会員カードの読み取りに応じて、当該顧客が所有する端末３は、読取装置１が送信した読取通知信号Ｓ２を受信する。
次いで、端末制御部４０は、読取通知信号Ｓ２の受信後に受信した位置補正信号Ｓ１に基づいて端末位置情報の補正を行い、補正後の端末位置情報を取得する（ステップＳＥ２）。上述したように、読取装置１は、所定の間隔（例えば、１秒）をあけて位置補正信号Ｓ１を送信する。このため、端末３は、読取通知信号Ｓ２を受信した後、当該所定の間隔の経過前に、位置補正信号Ｓ１を受信し、当該信号の受信をトリガーとして端末位置情報の補正を実行する。ステップＳＥ２で、端末制御部４０は、読取通知信号Ｓ２を受信した後に受信した位置補正信号Ｓ１に基づいて行われた補正後の端末位置情報を取得する。
ステップＳＥ２で端末制御部４０が取得した端末位置情報は、読取通知信号Ｓ２を送信した読取装置１の近傍に顧客が位置するときに行われた補正が反映された端末位置情報である。端末位置情報の補正にあたり、端末制御部４０は、強い受信信号強度で位置補正信号Ｓ１を受信し、高い精度で端末位置情報を補正する。
【００３２】
次いで、端末制御部４０は、端末上下位置情報を取得する（ステップＳＥ３）。端末上下位置情報とは、端末３の上下方向（鉛直方向）の位置を示す情報である。端末上下位置情報は、例えば、端末３が位置するフロアーＦの階数を示す情報や、所定の基準位置からの上下方向（鉛直方向）における離間距離を示す情報である。
ステップＳＥ３で、端末制御部４０は、例えば、以下のようにして端末上下位置情報を取得する。端末制御部４０は、読取装置１の識別情報を含む上下位置情報要求データを所定のサーバーに送信する。当該所定のサーバーは、読取装置１の識別情報と、読取装置１の上下方向の位置を示す情報とを対応付けて管理する。当該所定のサーバーは、上下位置情報要求データの受信に応じて、当該データに含まれる読取装置１の上下方向の位置を示す情報を端末３に送信する。端末３は、受信した読取装置１の上下方向の位置を示す情報を、端末３の上下方向の位置を示す端末上下位置情報として取得する。ここで、上述したように、ステップＳＥ３の処理が行われる時点では、読取装置１と端末３とは近接している。従って、読取装置１の上下方向の位置は、端末３の上下方向の位置とは対応する。このため、読取装置１の上下方向の位置を、端末３の上下方向の位置とすることが可能である。このほか、例えば、読取通知信号Ｓ２に、端末上下位置情報として用いることが可能な読取装置１の上下方向の位置を示す情報を含める構成であってもよく、また、他の手段で端末上下位置情報を取得する構成であってもよい。
【００３３】
次いで、端末制御部４０は、ステップＳＥ２で取得した端末位置情報、及び、ステップＳＥ３で取得した端末上下位置情報を端末記憶部４１に記憶する（ステップＳＥ４）。
次いで、端末制御部４０は、端末記憶部４１に記憶した端末位置情報、及び、端末上下位置情報を端末３の基準位置として所定の処理を実行する（ステップＳＥ５）。
例えば、端末制御部４０は、アプリケーションＡＰの機能を用いて、端末表示パネル４２ａにフロアーＦの地図を表示し、地図に端末３の位置を表示する。上述したように、端末位置情報、及び、端末上下位置情報は、端末３が読取装置１の近傍に位置することに基づいた精度の高い情報であるため、端末制御部４０は、高い精度で地図上に端末３の位置を表示可能である。
【００３４】
図６（Ａ）に示すように、ステップＳＣ２で読取通知信号Ｓ２を送信した後、読取装置１の制御部２０は、ＩＣカードリーダー２９の読取結果に基づいて、会員ＩＤを取得する（ステップＳＣ３）。
次いで、制御部２０は、通信インターフェース２５を制御して、ネットワークＮを介して、会員ＩＤを含むクーポン内容情報要求データを制御サーバー２に送信する（ステップＳＣ４）。クーポン内容情報要求データのフォーマット、当該データを送信する制御サーバー２のアドレス、制御サーバー２との間での通信に用いるプロトコルは予め定められる。
図６（Ｂ）に示すように、制御サーバー２は、クーポン内容情報要求データを受信する（ステップＳＤ１）。
次いで、制御サーバー２は、クーポン内容情報要求データに含まれる会員ＩＤに基づいて、クーポン内容情報データを生成する（ステップＳＤ２）。クーポン内容情報データとは、顧客に提供するクーポンの内容を示す情報を含むデータである。制御サーバー２は、会員ＩＤに応じて、会員ＩＤの顧客に提供するクーポンの内容を示す情報を管理する。制御サーバー２が管理するクーポンの内容を示す情報は、期間や、時間帯、顧客の来店履歴や、その他の条件により、所定の手段によって適宜書き換えられる。
次いで、制御サーバー２は、クーポン内容情報データを読取装置１に送信する（ステップＳＤ３）。
【００３５】
図６（Ａ）に示すように、読取装置１の制御部２０は、通信インターフェース２５を制御して、クーポン内容情報データを受信する（ステップＳＣ５）。
次いで、制御部２０は、クーポン内容情報データに基づいて、当該データが示すクーポンの内容に対応する情報が印されたクーポンを印刷部２１に印刷させる制御コマンドを生成する（ステップＳＣ６）。
次いで、制御部２０は、ステップＳＣ６で生成した制御コマンドに基づいて、印刷部２１を制御して、クーポンを発行する。
このように、読取装置１は、会員カードに読み取り結果に応じて、顧客に対応するクーポンを発行する。
なお、読取装置１は、クーポンとして、店舗Ｔのお知らせや、所定の広告、特売情報等が印刷された紙片を発行してもよい。紙片の発行に際し、会員カードの読み取りが実行されるため、印刷される情報を顧客に対応した情報とすることができる。
【００３６】
以上説明したように、本実施形態に係る読取装置１は、情報を読み取るＩＣカードリーダー２９（読取部）と、識別情報を記憶する記憶部２３と、記憶部２３に記憶された識別情報を無線通信で送信する通信部２２と、を有する。
この構成によれば、読取装置１は、端末３による位置補正に用いる識別情報を無線通信で送信する機能を有する。このため、端末３による位置補正が可能なシステムの構築に際し、端末３と通信を行う専用の装置を壁面等に設けたり、当該専用の装置を稼働させる設備を新たに設けたりする必要が無く、読取装置１の設置場所に読取装置１を設ければ、端末３は、読取装置１が無線通信で送信する識別情報を受信し、識別情報を用いて位置補正できる。従って、端末３による位置補正が可能なシステムの構築にかかるコストを削減し、当該システムを簡略化できる。
【００３７】
また、本実施形態では、読取装置１は、印刷を行う印刷部２１と、ＩＣカードリーダー２９で情報が読み取られた時に、印刷部２１に印刷を実行させる制御部２０と、を有する。
この構成によれば、読取装置１は、ＩＣカードリーダー２９による読み取りに応じて、印刷部２１による印刷を実行できる。
【００３８】
また、本実施形態では、読取装置１の制御部２０は、ＩＣカードリーダー２９で情報が読み取られた時に、印刷部２１にクーポン情報の印刷を実行させる。
この構成によれば、読取装置１は、ＩＣカードリーダー２９による読み取りに応じて、クーポン情報を印刷することにより、ユーザーにクーポン情報が印刷されたクーポンを提供することができる。
【００３９】
また、本実施形態では、通信部２２は、ＩＣカードリーダー２９で情報が読み取られた時に、読み取られたことを示す信号（読取通知信号Ｓ２）を無線通信で送信する。
この構成によれば、読取装置１は、ＩＣカードリーダー２９で情報が読み取られた場合に、読取通知信号Ｓ２を無線通信で送信して、そのことを端末３に通知できる。
【００４０】
また、本実施形態では、端末３の端末制御部４０は、読取通知信号Ｓ２の受信に基づいて、位置情報の補正を行う。
この構成によれば、端末３は、読取装置１による情報の読み取りが行われたタイミングで、位置情報の補正を実行できる。
【００４１】
＜第１の変形例＞
次いで、第１の変形例について説明する。
読取装置１は、ＩＣカードリーダー２９によって情報が読み取られた時に、位置補正信号Ｓ１を送信する構成であってもよい。この場合において、読取装置１は、位置補正信号Ｓ１を所定の間隔で送信する状態を維持しつつ、情報の読み取り時に位置補正信号Ｓ１を送信してもよい。また、読取装置１は、位置補正信号Ｓ１を所定の間隔で送信せず、情報の読み取り時に位置補正信号Ｓ１を送信してもよい。
第１の変形例に係る構成によれば、読取装置１は、ＩＣカードリーダー２９で情報が読み取られた時に、位置補正信号Ｓ１を送信して、端末３に位置補正を実行させることができる。これにより、例えば、ユーザーが、読取装置１による情報の読み取りを実行した時に、読取装置か１ら位置補正信号Ｓ１を送信して、当該ユーザーが所有する端末３に位置補正を実行させることが可能となる。
【００４２】
＜第２の変形例＞
次いで、第２の変形例について説明する。
第２の変形例では、端末３に、インターネット等のネットワークを介してサーバー（上述した実施形態の制御サーバー２と同一の装置であってもよい。）が接続する。
上述した実施形態では、端末３が位置補正信号Ｓ１を受信したときに、端末制御部４０が端末３の位置を示す端末位置情報の補正を実行していた。本実施形態では、サーバーが端末位置情報を生成し、端末３に送信する。
詳述すると、端末３が所定の位置補正信号Ｓ１を受信した場合、端末制御部４０は、以下の処理を実行する。端末制御部４０は、位置補正信号Ｓ１を受信したときの受信信号強度を取得し、当該信号に含まれる識別情報と、受信信号強度を示す情報とを、ネットワークを介してサーバーに送信する。
サーバーは、受信した識別情報と、受信信号強度を示す情報とに基づいて、上述した実施形態で端末３の処理として説明した方法と同様の方法で、端末３の位置を示す端末位置情報を生成する。なお、端末位置情報の生成方法は、例示した方法に限らない。また、端末３からサーバーには、サーバーが端末位置情報を生成するのに必要な情報が送信される。
サーバーは、ネットワークを介して、端末３に端末位置情報を送信する。
端末３の端末制御部４０は、端末位置情報を受信する。次いで、端末制御部４０は、受信した端末位置情報を端末記憶部４１に記憶する。次いで、端末制御部４０は、受信した端末位置情報に基づいて、表示パネル４２ａに表示したフロアーマップ上に、端末３の位置を表示する。
以上のように、端末３による位置補正信号Ｓ１の受信に応じて、端末３からサーバーに所定の情報が送信され、サーバーが所定の情報に基づいて、端末位置情報を生成する構成であってもよい。このような構成であっても、上述した実施形態で説明した効果と同様の効果を得ることができる。
【００４３】
なお、上述した実施の形態は、あくまでも本発明の一態様を示すものであり、本発明の範囲内で任意に変形および応用が可能である。
例えば、上述した実施形態では、端末３は、属する信号到達範囲が切り替わったタイミングで、端末位置情報の補正を実行していた。しかしながら、端末位置情報の補正を実行するタイミングは例示したものに限らない。例えば、所定時間が経過する度に補正を実行してもよく、移動距離を検出する手段を有し、所定距離以上の移動があったことを検出した場合に補正を実行してもよく、また、所定の条件が成立した場合に補正を実行してもよく、また、顧客（ユーザー）から指示があった場合に補正を実行してもよい。
また、端末３における位置補正の具体的な方法は、例示したものに限らない。位置補正の方法は、読取装置１から受信した信号を用いるものであれば、どのような方法であってもよい。
【符号の説明】
【００４４】
１…読取装置、３…端末、４…読取システム、２０…制御部、２１…印刷部、２２…通信部、２３…記憶部、２９…ＩＣカードリーダー（読取部）、４０…端末制御部、４４…データ通信部。
【図１】
2015158823.tif 000003
【図２】
2015158823.tif 000004
【図３】
2015158823.tif 000005
【図４】
2015158823.tif 000006
【図５】
2015158823.tif 000007
【図６】
2015158823.tif 000008